(57)【要約】      （修正有）【課題】マルチ被膜の固定に、被膜全周囲を土で覆う重労働から解放され、被膜を破くことなく回収、再利用できるフック付きの打ち込みマルカンを提供する。【解決手段】圃場等で多用されているマルチ被膜が風で飛ばされないように、被膜の上に、直パイプ、または、園芸用支柱を水平に置き、この直パイプや支柱を、本考案で特別に設けた下向きフック付きの打ち込みマルカンのフックで咥え込み、マルカンを打ち込むことで、畝に被膜を押し付け固定することができ、収穫後も、このマルカンと直パイプをどかすことで、被膜を破かないで回収できる。【選択図】図３
0003208517.tif 000002
【実用新案登録請求の範囲】
【請求項１】
圃場等で多用されているマルチ被膜が風で飛ばされないように、被膜の上に、直パイプ、または、園芸用支柱を水平に置き、この直パイプや支柱を、本考案で特別に設けた下向きフック付きの打ち込みマルカンのフックで咥え込み、マルカンを打ち込むことで、畝に被膜を押し付け固定することができ、収穫後も、このマルカンと直パイプをどかすことで、被膜を破かないで回収できる器具。
【考案の詳細な説明】
【技術分野】
【０００１】  本考案は、圃場で多用されているマルチ被膜が、風で飛ばされないように、容易に固定する器具である。
【背景技術】
【０００２】  フック付きのペグや一本足のマルカンは、商品化されている。いずれもロープを用いる。また、マルチ専用のシート押えアンカーも商品化されているが、シートの仮り止めにとどまっている。被膜を長手方向２０〜３０メーターにわたって最終的に抑えるには、被膜の周囲に土をかぶせている。この土をかぶせるのは重作業である。そこで、容易に被膜を固定するための器具が望まれた。本考案の下向きのフックで、マルチ被膜の上に水平方向におかれた直パイプ等をくわえこんで、このフックを付けたマルカンを打ち込むことで、水平の直パイプが、被膜を畝に押さえ込み固定できる器具が考案された。
【考案で解決しようとする課題】
【０００３】  耕地を広くビニールフイルムの被膜で覆う栽培法をマルチ農法と呼ぶ。圃場の地温上昇による促成、雑草防除などに効果がある。しかし、耕地をこの被膜で覆い、風で飛ばされないようにするため、従来は、被膜の端を、打ち込みマルカンやペグを用いて、数か所を点ポイントで仮押さえをし、そのあと、全周囲にわたって周囲の土をかぶせて本押えとしている。この被膜の端止めの土覆いの作業は重労働である。また、被膜の端を全面的に土で固定するため、被膜は、土の重みで、風が吹いてもいてもはがれないが、収穫後、被膜をはがすときに、この土の重みで、破れてしまい、再使用ができない。
【課題を解決する手段】
【０００４】  被膜の上に、直パイプ等を水平方向に置き、本考案の下向きフック付き打ち込みマルカンのフックで咥え込み、マルカンを打ち込むことで、結果として、直パイプ等が被膜を押し付けるので、畝全体を覆う被膜は、風でまくれないようになる。
【考案の効果】
【０００５】  被膜を固定するため、被膜の全周囲の端に土をかぶせる従来の重労働から解放され、さらに、被膜を、ほぼ無傷で簡単に回収でき、再利用できた。
【考案を実施するための最良の形態】
【０００６】  本案の打ち込みマルカンは、足の太さ直径９ミリ、足の長さ２００〜４００ミリ、足の頭頂近くに下向きのフックを備えてある。  このフックの内径は２センチ強ほど、の太さ５ミリ程度の金属かプラスチック製である。この下向きのフックで、被膜の上に水平に置かれた、長さ３メーターから４メーター、直径２センチ弱以下の直パイプ、または、園芸用の支柱をくわえこむこみ、マルカンをさらに打ち込むことで、直パイプ、または、支柱が、その水平方向の長さで、被膜を畝に押し付けることができる。【０００７】
【図１】
商品化されている『打ち込みマルカン』と『ペグ』および『マルチ押え』の外観図
【図２】
本考案である下向きフックを設けた打ち込みマルカン。
【図３】
本考案を利用した図。
【図１】
0003208517.tif 000003
【図２】
0003208517.tif 000004
【図３】
0003208517.tif 000005
【手続補正書】
【提出日】平成28年11月17日(2016.11.17)
【手続補正２】
【補正対象書類名】明細書
【補正対象項目名】全文
【補正方法】変更
【補正の内容】
【考案の詳細な説明】
【技術分野】
【０００１】  本考案は、圃場で多用されているマルチ被膜が、風で飛ばされないように、容易に固定する器具である。
【背景技術】
【０００２】  フック付きのペグや一本足のマルカンは、商品化されている。いずれもロープを用いる。また、マルチ専用のシート押えアンカーも商品化されているが、シートの仮り止めにとどまっている。被膜を長手方向２０〜３０メーターにわたって最終的に抑えるには、被膜の周囲に土をかぶせている。
この土をかぶせるのは重作業である。
そこで、容易に被膜を固定するための器具が望まれた。
本考案の下向きのフックで、マルチ被膜の上に水平方向におかれた直パイプ等をくわえこんで、このフックを付けたマルカンを打ち込むことで、水平の直パイプが、被膜を畝に押さえ込み固定できる器具が考案された。
【考案で解決しようとする課題】
【０００３】  耕地を広くビニールフイルムの被膜で覆う栽培法をマルチ農法と呼ぶ。圃場の地温上昇による促成、雑草防除などに効果がある。
しかし、耕地をこの被膜で覆い、風で飛ばされないようにするため、従来は、被膜の端を、打ち込みマルカンやペグを用いて、数か所を点ポイントで仮押さえをし、そのあと、全周囲にわたって周囲の土をかぶせて本押えとしている。この被膜の端止めの土覆いの作業は重労働である。
また、被膜の端を全面的に土で固定するため、被膜は、土の重みで、風が吹いてもいてもはがれないが、収穫後、被膜をはがすときに、この土の重みで、破れてしまい、再使用ができない。
【課題を解決する手段】
【０００４】  被膜の上に、直パイプ等を水平方向に置き、本考案の下向きフック付き打ち込みマルカンのフックで咥え込み、マルカンを打ち込むことで、結果として、直パイプ等が被膜を押し付けるので、畝全体を覆う被膜は、風でまくれないようになる。
【考案の効果】
【０００５】  被膜を固定するため、被膜の全周囲の端に土をかぶせる従来の重労働から解放され、さらに、被膜を、ほぼ無傷で簡単に回収でき、再利用できた。
【考案を実施するための最良の形態】
【０００６】  本案の打ち込みマルカンは、足の太さ直径９ミリ、足の長さ２００〜４００ミリ、足の頭頂近くに下向きのフックを備えてある。
このフックの内径は２センチ強ほど、の太さ５ミリ程度の金属かプラスチック製である。この下向きのフックで、被膜の上に水平に置かれた、長さ３メーターから４メーター、直径２センチ弱以下の直パイプ、または、園芸用の支往をくわえこむこみ、マルカンをさらに打ち込むことで、直パイプ、または、支柱が、その水平方向の長さで、被膜を畝に押し付けることができる。
【図面の簡単な説明】
【０００７】
【図１】  商品化されている『打ち込みマルカン』と『ペグ』と『マルチ押え』の立体図。
【図２】  本考案である下向きフックを設けた打ち込みマルカンの立体図。
【図３】  本考案の打ち込みマルカンで、畝の上に敷かれたマルチ被膜を抑え込んだ設営図。
【符号の説明】
【０００８】１、商品化されている『打ち込みマルカン』
２、商品化されている『ペグ』
３、商品化されている『マルチ押え』
４、本考案のフック付き打ち込みマルカン
５、マルチ被膜
６、畝
７、園芸用支柱または直パイプ
【手続補正３】
【補正対象書類名】図面
【補正対象項目名】全図
【補正方法】変更
【補正の内容】
【図１】
0003208517.tif 000006
【図２】
0003208517.tif 000007
【図３】
0003208517.tif 000008